(57)【特許請求の範囲】
【請求項１】
入力データの宛先アドレス情報を読み出す宛先情報読み出し手段と、
受信アドレスが設定され、入力データの内の当該設定された受信アドレスのデータを受信する複数の同様な構成の受信手段と、
上記宛先情報読み出し手段が読み出した上記宛先アドレス情報を基に上記受信手段に受信アドレスを設定するアドレス設定手段とを備え、
上記各受信手段は、上記アドレス設定手段によってそれぞれ受信アドレスが設定されて、複数種の宛先の上記入力データよりなる多重化データの内の上記設定された受信アドレスのデータだけを受信する
データ受信装置。
【請求項２】
少なくとも、上記宛先情報読み出し手段が上記入力データの宛先アドレス情報を読み出し、上記アドレス設定手段が上記受信アドレスを上記受信手段に設定するまでの時間分の遅延時間を有し、上記入力データを遅延させて上記受信手段に送る遅延手段を備える請求項１記載のデータ受信装置。
【請求項３】
上記受信手段から出力されたデータを加工して、送信信号に変換する信号処理手段を備える請求項１記載のデータ受信装置。
【請求項４】
上記宛先アドレス情報は、上記入力データのヘッダに付加されている請求項１記載のデータ受信装置。
【請求項５】
入力データの宛先アドレス情報を読み出す宛先情報読み出し工程と、
上記宛先情報読み出し工程で読み出した上記宛先アドレス情報を基に複数の同様な構成の受信手段の受信アドレスを設定するアドレス設定工程と、
上記アドレス設定工程において受信アドレスが設定された受信手段によって、入力データの内の上記設定した受信アドレスのデータを受信する受信工程とを有し、
上記各受信手段は、上記アドレス設定工程においてそれぞれ受信アドレスが設定されて、複数種の宛先の上記入力データよりなる多重化データの内の上記設定された受信アドレスのデータだけを受信する
データ受信方法。
【発明の詳細な説明】
技術分野
本発明は、データを受信するデータ受信装置及び方法に関し、詳しくは、データを中継等により伝送するデータ伝送システムに用いられ、データを中継等するために受信するデータ受信装置及び方法に関する。
背景技術
近年、放送局において、編集素材や取材素材をいち早く伝送する方法として、サテライトニュースギャザリング（satelite news gathering; SNG）システムが提供されている。一般的には、このＳＮＧシステムとしては、まず、素材の送出側において、伝送すべき素材をデジタル変調し、衛星回線を使用して放送局に伝送し、そして、素材の受信側において、伝送されてきた素材をデジタル復調し、復調された素材を編集することによってビデオプログラムを生成するといったシステムである。
このＳＮＧシステムは、フィールドにおいて取材された取材映像のような素材を中央放送局に届けるために使用されたり、また、中央放送局において編集されたプログラム素材を中央放送局から地方放送局へ伝送するために問う使用されたりしている。
放送局は、このＳＮＧを使用して素材を伝送するために、伝送するために使用した衛星回線とその衛星回線を使用した時間とによって、この衛星回線の利用料金を支払わなければならない。
従来のＳＮＧシステムを使用した伝送置は、一つの素材を伝送するために１トランスポンダ、すなわち１衛星回線を必要としていたため、例えば、フィールドにおいて作成された複数のライブ映像を、リアルタイムで中央放送局に同時に伝送するためには、複数チャンネルのトランスポンダを借りるための費用が膨大になるという問題点を有していた。
また、例えば２時間の素材をフィールドから中央放送局に伝送するためには、２時間にわたって衛星回線を占有する必要があり、素材の時間が長いほどトランスポンダを借りる費用が負担になるということが問題であった。
ところで、データ通信等において、データ受信装置は、中継送信装置として用いられ、遠隔地にデータを送信可能にするものであるが、このようなデータ受信装置に入力されるデータは、複数種類のデータが多重化されている場合がある。そして、多重化された状態で入力されたデータは、データ受信装置の各受信部によって選択的に読み込まれる。データは、各受信部によって同種、例えば送信宛先別、のデータ毎に選別されて読み込まれる。このようにして各受信部に読み込まれたデータは、当該中継受信装置を介して各宛先の機器に向けて送信される。
データ受信装置の各受信部による各種データ別の読み込みは、当該データ受信装置に送信されてくる各データの送信すべき宛先に合わせて当該受信部を予め設定しておくことで行っていた。例えば、各データの宛先にあわせた各受信部の設定は、データ受信装置に入力される各データに合わせてユーザが予め行っていた。
この場合、データ受信装置に入力されるデータが変更、例えばそのデータの宛先が変更されることも多く、ユーザは、その変更に合わせて各受信部を設定しなおす必要がある。しかし、入力されるデータの変更にあわせていちいち各受信部を設定しなおすのであっては、使用勝手が悪くなる。
発明の開示
本発明は、上述の実情に鑑みてなされたものであって、一つの衛生回線を使用して、複数のチャンネルの映像データを伝送し、素材を高速に伝送するための伝送システムに用いられ、入力されるデータに合わせて予め受信部の設定をする必要がないデータ受信装置及び方法の提供を目的とする。
上述の課題を解決するために、本発明に係るデータ受信装置は、入力データの宛先アドレス情報を読み出す宛先情報読み出し手段と、受信アドレスが設定され、入力データの内の当該設定された受信アドレスのデータを受信する複数の同様な構成の受信手段と、宛先情報読み出し手段が読み出した宛先アドレス情報を基に受信手段に受信アドレスを設定するアドレス設定手段とを備え、各受信手段は、アドレス設定手段によってそれぞれ受信アドレスが設定されて、複数種の宛先の入力データよりなる多重化データの内の設定された受信アドレスのデータだけを受信する。
このように構成されたデータ受信装置は、宛先情報読み出し手段が読み出した宛先アドレス情報を基にアドレス設定手段によって受信アドレスが設定された受信手段によって、宛先別にデータを受信する。
本発明に係るデータ受信方法は、入力データの宛先アドレス情報を読み出す宛先情報読み出し工程と、宛先情報読み出し工程で読み出した宛先アドレス情報を基に複数の同様な構成の受信手段の受信アドレスを設定するアドレス設定工程と、アドレス設定工程において受信アドレスが設定された受信手段によって、入力データの内の設定した受信アドレスのデータを受信する受信工程とを有し、各受信手段は、アドレス設定工程においてそれぞれ受信アドレスが設定されて、複数種の宛先の入力データよりなる多重化データの内の上記設定された受信アドレスのデータだけを受信する。
このように構成されたデータ受信方法は、宛先情報読み出し工程において読み出した宛先アドレス情報を基にアドレス設定工程において受信アドレスが設定された受信部によって受信工程において宛先別にデータを受信する。
【図面の簡単な説明】
図１は、送信側のフィールドサイトの構成を示すブロック図である。
図２は、中央局の構成を示すブロック図である。
図３は、受信側の地方局の構成を示すブロック図である。
図４Ａは、入力されたデータに宛先アドレス情報を付加するためのＳＤＴＩフォーマットを示すデータ構成図である。
図４Ｂは、ＳＤＴＩフォーマットのＥＡＶ及びアンシラリデータ部を示すデータ構成図である。
図５は、この発明の通信装置の一実施の形態のＳＤＴＩヘッダパケットを示す図である。
図６は、この発明の送信装置の一実施の形態のＳＤＴＩのラインナンバーＣＲＣを示す図である。
図７はこの発明の送信装置の一実施の形態のＳＤＴＩのラインナンバーＣＲＣの生成回路を示す図である。
図８は、この発明の送信装置の一実施の形態のＳＤＴＩのデータスタートポジションを示す図である。
図９、はこの発明の送信装置の一実施の形態のＳＤＴＩのユーザデータを示す図である。
図１０は、この発明の送信装置の一実施の形態のＳＤＴＩの固定ブロックサイズのユーザデータヘッダーを示す図である。
図１１は、この発明の送信装置の一実施の形態のＳＤＴＩの可変ブロックサイズのユーザデータヘッダーを示す図である。
図１２は、この発明の送信装置の一実施の形態のＳＤＴＩのワードカウントを示す図である。
図１３は、この発明の送信装置の一実施の形態のＳＤＴＩのリファレンスフレーム信号を示す図である。
図１４は、データに宛先アドレス情報を付加するための送信側回路部を示す回路構成図である。
図１５は、データに付加された宛先アドレス情報を読み出して選択的に当該データを受信する受信側回路部を示す回路構成図である。
図１６は、本発明の実施の形態となるデータ受信装置を示す回路構成図である。
図１７は、上記データ受信装置が中継送信装置に適用されて場合を示す回路構成図である。
図１８は、データを圧縮するときの様子を示すデータ構成図である。
図１９は、上記中継送信装置に入力される信号Ａ，信号Ｂ及び信号Ｃが多重化されたときを示す多重化データ構成図である。
図２０は、上記中継送信装置に入力される信号Ａ，信号Ｂ，信号Ｃ，信号Ｄ及び信号Ｅが多重化されたときを示す多重化データ構成図である。
図２１は、上記中継送信装置が適用されるデータ伝送システムを示すブロック図である。
図２２は、上記データ受信装置によって複数のＶＴＲ及びモニタにビデオ信号を送信する場合を示すブロック図である。
図２３は、４チャンネルのビデオデータを多重化する場合の具体例を説明するためのタイミングチャートである。
図２４は、４倍速のビデオデータを伝送する場合の具体例を説明するためのタイミングチャートである。
発明を実施するための最良の形態
以下、本発明の実施の形態について、図面を参照して説明する。
本発明の第１の実施の形態は、図１に示すフィールドサイト（field site）のような送信側と、図２に示すような送信側からのデータに処理を施す中央局と、図３に示すような中央局からのデータを受け取る地方局のような受信側とから構成される伝送システムである。
この伝送システムにおいては、送信側から中央局へのデータ、及び中央局から受信側へのデータは、送信アンテナから衛星を介して受信アンテナに伝送される。
以下の説明では、素材となる信号として映像信号を例に挙げているが、映像信号のみならず、音声信号や補助データ等の各種データも含むものであることは勿論である。
最初に、伝送システムの送信側を構成する中継車等のフィールドサイト（field site）について、図１を参照しながら説明する。
フィールドサイトは、ビデオカメラ７２等の映像入力装置と、映像信号をＭＰＥＧ（moving picture experts group）規格により符号化するＭＰＥＧエンコーダ装置７３と、ＭＰＥＧ符号化された映像信号を所定のシルアル伝送フォーマット、例えば後述するいわゆるＳＤＴＩ（serial digital transport interface）規格のフォーマットに変換するＳＤＴＩエンコーダ装置７４と、入力される複数のチャンネルのＳＤＴＩビットストリームを多重化する多重化装置（multiplexer; MUX）７５と、これらビデオカメラ７３、ＭＰＥＧエンコーダ装置７３、ＳＤＴＩエンコーダ装置７４、及び多重化装置７５とを制御するコンビュータ７１とを有している。
フィールドサイトにおいては、複数のビデオカメラ７２1〜７２4から入力される所定のシルアル伝送フォーマット、例えばいわゆるＳＤＩ（serial digital interface）規格による映像信号は、ＭＰＥＧエンコーダ装置７３に備えられるＭＰＥＧエンコーダ７３1〜７３4にてそれぞれＭＰＥＧビットストリームに符号化される。
ＭＰＥＧエンコーダ装置７３の備えるＭＰＥＧエンコーダ７３1〜７３4からのＭＰＥＧビットストリームは、ＳＤＴＩエンコーダ装置７４に備えられるＳＤＴＩエンコーダ７４1〜７４4にてそれぞれＳＤＴＩビットストリームに変換される。
このＳＤＴＩエンコーダ装置７４では、符号化された複数チャンネルのビデオデータを所定のシリアル伝送フォーマットのペイロード部に挿入することによって、上記複数チャンネルのビデオデータのフォーマットをＳＤＴＩ規格に変換する。
ＳＤＴＩエンコーダ装置７４に備えられるＳＤＴＩエンコーダ７４1〜７４4からのＳＤＴＩビットストリームは、多重化部７５にて多重化されて、多重化されたＳＤＴＩビットストリームとされる。
これらビデオカメラ７２から、ＭＰＥＧエンコーダ装置７３及びＳＤＴＩエンコーダ装置７４を経て多重化部７５に至る信号の流れは、コンビュータ７１によって制御される。
フィールドサイトは、ＳＤＴＩビットストリームに対して外部に送出するための処理を施す送出回路７６とを有している。
多重化部７５からのＳＤＴＩビットストリームは、送出回路送出回路７６にて処理を施された後、送信アンテナ７７にて衛星８１に送信される。衛星８１は、送信アンテナ７７からの信号を中継して受信アンテナ８２に送る。
ここで、ＳＤＴＩ規格はＳＭＰＴＥ（society of motion pictures and television engineers）３０５Ｍに規定されるものである。このＳＤＴＩ規格の詳細については後述する。
上述のように、送信側は、複数チャンネルのビデオデータをそれぞれ符号化するＭＰＥＧエンコーダ装置と、ＭＰＥＧエンコーダ装置の符号化により得られたビットストリームをＳＤＴＩに変換するＳＤＴＩエンコーダ装置と、ＳＤＴＩエンコーダ装置からの複数チャンネルのビデオデータを多重化する多重化部と、多重化部からのデータを衛星を介して送出する送信回路及び送信アンテナを有している。
続いて、データ伝送システムの中央局の構成について、図２を参照して説明する。
中央局は、信号を受信する受信アンテナ３８２と、受信アンテナにて受信された信号に処理を施してＳＤＴＩビットストリームとする受信回路３８３と、受信回路３８３からのＳＤＴＩビットストリームからアドレスを抽出するアドレス抽出回路３８４と、受信回路３８３からのＳＤＴＩビットストリームを復号してＭＰＥＧビットストリームとするＳＤＴＩデコード装置３８５とを有している。
衛星３８１1から送信された信号は受信アンテナ３８２にて受信され、受信回路３８３にてＳＤＴＩビットストリームとされる。
受信回路からのＳＤＴＩビットストリームは、アドレス抽出回路３８４にてアドレスを抽出され、ＳＤＴＩデコーダ装置３８５にて分離され、このＳＤＴＩデコーダ装置３８５に備えられるＳＤＴＩデコーダ３８５1〜３８５nにてそれぞれＭＰＥＧビットストリーム復号される。
また、中央局は、信号の経路を切り換える接続手段であるルータ（router）３８６と、ルータ３８６を介して得られるＭＰＥＧビットストリームを復号するＭＰＥＧデコーダ装置３８７と、ＭＰＥＧデコーダ装置３８７にて復号された映像信号が入力されるサーバシステム３８８と、ＭＰＥＧデコーダ装置３８７からの映像信号を変出する第１の編集システム３８９と、サーバシステム３８８及び第１の編集システム３８９からの映像信号をＭＰＥＧビットストリームに符号化するＭＰＥＧエンコーダ装置３７３とを有している。
ルータ３８６は、複数の機器に接続され、これらの機器の間の信号の経路を切り換える接続手段である。ルータ３８６は、ＳＤＴＩエンコーダ装置３８５、ＭＰＥＧデコーダ装置３８７、ＭＰＥＧサーバ３９１、ＭＰＥＧ  ＶＴＲ３９２、第２の編集システム３９３、ＭＰＥＧエンコーダ装置３７３、及びＳＤＴＩエンコーダ装置３７４に接続され、これらの機器の間の経路を切り換える。
ルータ３８６を介して得られる複数のチャンネルのＭＰＥＧビットストリームは、ＭＰＥＧデコーダ装置３８７に備えられる複数のＭＰＥＧデコーダ３８７1〜３８７mにて映像信号に復号される。
ＭＰＥＧデコーダ装置３８７からの複数チャンネルの映像信号は、サーバシステム３８８にて処理を施され、また、第１の編集システム３８９にて編集される。
サーバシステム３８８及び第１の編集システム３８９からの複数チャンネルの映像信号は、ＭＰＥＧエンコーダ装置３７３に備えられる複数のＭＰＥＧエンコーダ３７３1〜３７３mにてそれぞれＭＰＥＧビットストリームに符号化される。
さらに、中央局は、ルータ３８６を介して得られるＭＰＥＧビットストリームに対する処理を施すＭＰＥＧサーバ３９１と、ルータ３８６からのＭＰＥＧビットストリームをビデオテープについて記録／再生するＭＰＥＧ  ＶＴＲ（video tape recorder）３９２と、ルータ３８６からのＭＰＥＧビットストリームを編集する第２の編集システム３９３とを有している。
ＭＰＥＧサーバ３９１は、ルータ３８６を介して得られるＭＰＥＧビットストリームに対する処理を施す。ＭＰＥＧ  ＶＴＲ３９２は、ルータ３８６を介して与えられるＭＰＥＧビットストリームをビデオテープに記録すると共に、ビデオテープに記録されたＭＰＥＧビットストリームを再生する。
このＭＰＥＧ  ＶＴＲ３９２は、通常の速度にてビデオデータの記録／再生を行うと共に、通常の速度のＮ倍の速度にてビデオデータの記録／再生も行うものを使用することができる。
第２の編集システム３９３は、ルータ３８６を介して与えられるＭＰＥＧビットストリームを編集する。
そして、中央局は、ＭＰＥＧビットストリームをＳＤＴＩビットストリームに変換するＳＤＴＩエンコーダ装置３７４と、複数チャンネルのＳＤＴＩビットストリームを多重化する多重化装置（multiplexer; MUX）３７５と、この中央局の各部をネットワークを介して制御するネットワークコンピュータ３７１とを有している。
ルータ３８６を介して与えられる複数チャンネルのＭＰＥＧビットストリームは、ＳＤＴＩエンコーダ装置３７４に備えられるＳＤＴＩエンコーダ３７４1〜３７４nにてそれぞれＳＤＴＩビットストリームに符号化される。
ＳＤＴＩエンコーダ装置３７４からの複数のＳＤＴＩビットストリームは、多重化部（ＭＵＸ）３７５にて多重化される。
ネットワークコンピュータ３７１は、中央局の各部を制御する制御部である。この中央局における受信回路３８３から多重化部３７５に至る信号の流れは、このネットワークコンピュータ３７１にて制御される。なお、ネットワークコンピュータ３７１は、１又は２以上の複数のコンピュータで構成される。
また、中央局は、信号に送出のための処理を施す送出回路３７６と、信号を送信する送信アンテナ３７７とを有している。
ＭＵＸにて多重化されたＳＤＴＩビットストリームは、送出回路３７６にて送出のための処理を施され、送信アンテナ３７７から衛星３８１2に送出される。
上述のように、中央局は、衛星を介して与えられるデータを受信する受信アンテナ及び受信回路と、複数チャンネルのＳＤＴＩのデータをそれぞれ復号してＭＰＥＧビットストリームとするＳＤＴＩデコーダと、ＭＰＥＧビットストリームを復号して映像信号とするＭＰＥＧデコーダと、映像信号をＭＰＥＧビットストリームに符号化するＭＰＥＧエンコーダと、ＭＰＥＧビットストリームをＳＤＴＩに変換するＳＤＴＩエンコーダと、衛星を介してデータを送出する送出回路及び送信アンテナとを有している。
また、中央局では、ＭＰＥＧ  ＶＴＲ３９２としては、ＳＤＴＩデコーダ装置からＮ倍速にて与えられるビデオデータを記録し、Ｎ倍速にてビデオデータを再生するものを用いることもできる。ここで、ＳＤＴＩデコーダ装置は、入力されるデータをＮ倍速のビットストリームとし、また、ＳＤＴＩエンコーダ装置は、Ｎ倍速にて入力されるビットストリームを通常の速度のデータして送出する。
続いて、データ伝送システムの受信側を構成する地方局（regional broadcast station）について、図３を参照して説明する。
地方局は、信号を受信する受信アンテナ５８２と、受信アンテナからの信号に処理を施すＳＤＴＩビットストリームとする受信回路５８３とを有している。
衛星５８１から送信された信号は、受信アンテナ５８２で受信される。受信アンテナ５８２からの信号は、受信回路５８３にて処理を施され、ＳＤＴＩビットストリームとされる。
また、地方局は、受信回路５８３からのＳＤＴＩビットストリームからアドレスを抽出するアドレス抽出回路５８４と、ＳＤＴＩビットストリームを復号するＳＤＴＩデコーダ装置５８５と、ＭＰＥＧビットストリームを映像信号に復号するＭＰＥＧデコーダ装置５８７と、ＭＰＥＧデコーダ装置５８７からの映像信号をオンエアするための処理を施すオンエアサーバとを有している。
受信回路５８３からのＳＤＴＩビットストリームは、アドレス抽出回路５８４にてアドレスが抽出され、ＳＤＴＩデコーダ装置５８５に備えられるＳＤＴＩデコーダ５８５1〜５８５4にてチャンネル毎に復号されてＭＰＥＧビットストリームとされる。
ＳＤＴＩデコーダ装置５８５からのＭＰＥＧビットストリームは、ＭＰＥＧデコーダ装置に備えられるＭＰＥＧデコーダ３８７1〜３８７4にてそれぞれ復号されて映像信号とされる。
ＭＰＥＧデコーダ装置５８７からの映像信号は、オンエアサーバ５９８にてオンエアのための処理を施されてオンエアされる。
そして、地方局は、この地方局の各部を制御するネットワークコンピュータ５７１を有している。
ネットワークコンピュータ５７１は、ネットワークを介してアドレス抽出回路５８４、ＳＤＴＩデコーダ装置５８５、ＭＰＥＧデコーダ装置５８７、及びオンエアサーバ５９８を制御する。
このネットワークコンピュータ５７１は、１又は２以上の複数のコンピュータから構成される。
上述したように、受信側は、衛星を介して与えられたデータを受信する受信アンテナ及び受信回路と、ＳＤＴＩのデータを複数のチャンネル毎にＭＰＥＧビットストリームに復号するＳＤＴＩデコーダ装置と、ＳＤＴＩデコーダ装置からのＭＰＥＧビットストリームを複数のチャンネル毎に映像信号に復号するＭＰＥＧデコーダ装置とを有している。
以上説明したように、本実施の形態は、複数チャンネルのビデオデータを伝送するための伝送システムにおいて、上記複数チャンネルのビデオデータをそれぞれＭＰＥＧ符号化するＭＰＥＧエンコーダ装置と、ＳＤＴＩエンコーダ装置と、フォーマット変換された複数チャンネルのビデオデータを多重化する多重化部と、多重化されたデータを伝送する送信アンテナ、衛星及び受信アンテナを含む伝送路とを有してなるものである。
また、ＭＰＥＧエンコーダ装置、ＳＤＴＩエンコーダ、多重化部、データを伝送する送信アンテナが送信側に設けられ、送信側から伝送された多重化ビデオデータを受信する受信側は、送信側から衛星を介して伝送されたＳＤＴＩ規格の多重化ビデオデータを受信する受信アンテナと、ＳＤＴＩ規格の多重化データをＭＰＥＧビットストリームに変換するＳＤＴＩデコーダと、ＳＤＴＩデコーダからのビットストリームをビデオデータに復号するＭＰＥＧデコーダとを有している。
次に、本実施の形態において用いられるＳＤＴＩ規格について説明する。
このＳＤＴＩフォーマットの規格は、例えば放送局やプロダクションハウス内において、パケット化されたデータを伝送する方法を規定したものであり、データパケットと同期信号はＳＭＰＴＥ  ２５９Ｍ（４：２：２ Component ＳＤＩ）と互換性がある。つまり、相互に、ＳＤＴＩフォーマットのデータをＳＤＩフォーマットのデータに変換できると共に、ＳＤＩフォーマットのデータをＳＤＴＩフォーマットのデータに変換できるように構成されている。また、信号フォーマットのパラメータはＳＭＰＴＥ  ２５９Ｍ（４：２：２ Component ＳＤＩ）と互換性がある。
ＳＤＴＩフォーマットの信号フォーマットは、図４Ａ示すように、ＳＤＩフォーマットの信号フォーマットとほぼ同様に、ＥＡＶ（End of Active Video）１０１と、アンシラリデータ（Ancillary data）１０２と、ＳＡＶ（Start of Active Video）格納部１０３と、ユーザデータを有するペイロード（Payload）部１０４と、ＣＲＣ（Cyclic Redundancy Check）１０５と、を有する。ここで、ペイロード部１０４は、ＳＤＩフォーマットの信号フォーマットのうちのアクティブビデオＡＣＶ１，ＡＣＶ２に相当する。ＳＤＴＩフォーマットの信号フォーマットはＳＤＩフォーマットの信号フォーマットと異なり、アンシラリデータはオーディオデータを含まず、ペイロードはビデオデータ、オーディオデータおよびコントロールデータを有する。また、ＥＡＶおよびＳＡＶは信号の分離符号である。アンシラリデータ部１０２は同期信号を含むヘッダーを有する。ＣＲＣ１０５は、アンシラリデータ４１の一部およびペイロード部分の誤り検出および誤り訂正に用いられるＣＲＣ符号である。
また、データストリームは最大データレートが２３４Ｍｂｉｔ／ｓ以下のいかなるパケットデータあるいは信号でも伝送することができる。
次に、この規格で引用する規格を示す。これらの規格が以下に引用された場合は、この規格の一部とみなす。この規格が制定された時点では、次の規格が最新規格であるが、改正されることもあるので、この規格を扱う際に、最新版を適用できるかどうか検討するものとする。
ＳＭＰＴＥ  １２５Ｍ，for Television-Component Signal ４：２：２ Bit-Parallel Digital Interface
ＳＭＰＴＥ  ２５９Ｍ，for Television-10-bit ４：２：２ Component and ４ｆ sc NTSC Composite Digital Signals-Serial Digital Interface
ＳＭＰＴＥ  ２９１Ｍ，for Television-Ancillary Data Packet and Space Fomatting
次に、一般的仕様について説明する。クロック信号については、ＳＭＰＴＥ  １２５Ｍに規定されているものと同様である。信号のレベルと仕様はＳＭＰＴＥ  ２５９Ｍに規定されているものと同様である。シリアルデータストリームのデータレートは最大２７０Ｍｂｉｔ／ｓである。使用するコネクターはＳＭＰＴＥ  ２５９Ｍに規定するものと同じタイプが望ましい。インターフェースの特性は、同軸ケーブルの特性により発生する１３５ＭＨｚでの信号損失が、約３０ｄＢを越えないように保障できるものであることを要する。
次にＳＤＴＩヘッダーについて説明する。図４ＢにＳＤＴＩヘッダーデータパケットを示す。ＳＤＴＩヘッダーデータパケットは５３ワードで構成される。ＳＤＴＩヘッダーはＥＡＶ格納部１０１の直後に配置される。これはＳＭＰＴＥ  ２９１ＭのAncillary Data Packet（Ｔｙｐｅ２）に従う。
アンシラリデータフラグ（Ancillary Data Flag（ＡＤＦ））は、ＳＭＰＴＥ１２５Ｍに規定されているものと同等であり、０００ｈ，３ＦＦｈ，３ＦＦｈの３ワードで構成される。ＳＤＴＩヘッダーがこれに続くように配置される。
データＩＤ（Data ID（ＤＩＤ））は、ＳＤＴＩヘッダーのアンシラリデータ（Ancillary Data）を識別する例においては、値は１４０ｈが設定される。データＩＤ（Data ID（ＤＩＤ））は、Ｂ７〜Ｂ０：下位８ビットのデータ部分と、Ｂ８：Ｂ７〜Ｂ０に対する偶数パリティ、およびＢ９：Ｂ８の補数からなる、上位２ビットのパリティ部分とで構成される。
セコンダリデータＩＤ（Secondary Data ID（ＳＤＩＤ））は、Ｂ７〜Ｂ０：下位８ビットのデータ部分と、Ｂ８：Ｂ７〜Ｂ０に対する偶数パリティ、およびＢ９：Ｂ８の補数からなる、上位２ビットのパリティ部分とで構成される。
データカウント（Data Count（ＤＣ））は、Ｂ７〜Ｂ０：下位８ビットのデータ部分と、Ｂ８：Ｂ７〜Ｂ０に対する偶数パリティ、およびＢ９：Ｂ８の補数からなる、上位２ビットのパリティ部分とで構成される。
続いて、ＳＤＴＩデータの構成について順を追って詳しく説明することにする。
ＳＤＴＩフォーマットによる伝送パケットは、図４Ａに示すように、アクティブビデオ部の終了符号（ＥＡＶ；End of Active Video）を格納するＥＡＶ格納部１０１と、ヘッダ等を格納するアンシラリデータ部１０２と、アクティブビデオ部の開始符号（ＳＡＶ；Start of Active Video）を格納するＳＡＶ格納部１０３と、送信するデータ、ここではビデオ信号、が格納されるペイロード部１０４と、ＣＲＣ符号が格納されるＣＲＣ１０５とを有して構成されている。
上記ＥＡＶ格納部１０１は、各ラインについて、ペイロード部１０４の終了を示し、アンシラリーデータ部１０２とを分離するアクティブビデオ部の終了符号ＥＡＶを格納している。
上記アンシラリデータ部１０２は、ヘッダ、補助データ等を格納している。
上記ＳＡＶ格納部１０３は、ペイロード部１０４の開始を示し、アンシラリデータとを分離するアクティブビデオ部の開始符号ＳＡＶを格納している。
上記ペイロード部１０４は、伝送するビデオ信号を格納する領域であって、ここでは、ＶＴＲ１４，ディジタルビデオカメラ１５又はアナログビデオカメラ１６の何れかのビデオ信号を格納する。
なお、アンシラリデータ部１０２のヘッダは、例えば図４Ｂに示すように、合計３ワードのアンシラリデータフラグ（ＡＤＦ）と、１ワードのデータＩＤ（ＤＩＤ）と，１ワードのセカンダリーデータＩＤ（ＳＤＩＤ）と、１ワードのデータカウント（Data count）と、２ワードのラインナンバー（Line number０，Line number１）と、２ワードのラインナンバーＣＲＣ（Line number ＣＲＣ０，Line number ＣＲＣ１）と、１ワードのコード（CODE）と、１６ワードの宛先アドレス情報（Destination Address）と、１６ワードのソースアドレス情報（Source Address）と、１ワードのブロックタイプ（Block type）と、１ワードのＣＲＣフラグ（ＣＲＣ flag）と、１ワードのデータスタートポジション（Data start position）と、４ワードのヘッダエクスパンションリザーブデータ（Reserved０，Reserved１，Reserved２，Reserved３）と、２ワードのヘッダＣＲＣ（Header ＣＲＣ０，Header ＣＲＣ１）と、１ワードのチェックサム（Check Sum）とを有して構成されている。
ここで、データＩＤは、このアンシラリデータ部１０２に宛先アドレス情報及びソースアドレス情報が格納されていることを示す。
データカウントは、カウントした伝送すべきデータの数を示す。コードは、当該伝送用パケットがＳＤＴＩフォーマットであるか他のフォーマットであるかを示す。
宛先アドレス情報及びソースアドレス情報は、伝送先のアドレス及び送信元のアドレスを示すデータであって、例えば、その伝送用パケットが伝送される宛先の機器及び当該伝送用パケットを送出した機器の識別のためのデータである。
ブロックタイプは、ペイロード部１０４のデータ構成を示すデータが含まれる。具体的には、例えば、固定長データを伝送する場合に、ペイロード部１０４を１４４０ワード１ブロック構成、７１９ワード２ブロック構成、・・・、５ワード２７８ブロック構成として用いるか、或いは、可変長データを伝送するか等を示す。例えば、ブロックタイプで可変長データを指定し、ペイロード部１０４が複数のデータを含む場合には、それぞれのデータの終わりを示す終了符号ＥＡＶ及び次のデータが始まることを示す開始符号ＳＡＶ等がデータの間に挿入され、さらに、全てのデータの終わりには、終了符号のみが付加される。
ＣＲＣフラグは、ペイロード部１０４の後ろにＣＲＣ符号が付加されているか否かを示す。データスタートポジションは、ペイロード部１０４の開始位置を示す。
チェックサムは、伝送用パケット内のフレームのデータ、ここではデータＩＤからヘッダＣＲＣまでのデータ、の有効性を確認するために用いられる。
上述のように構成されたＳＤＴＩフォーマットの伝送用パケットによって宛先アドレス情報が各ビデオ信号に付加される。
続いて、ＳＤＴＩフォーマットを構成するデータについて図面を参照して詳細に説明する。
ラインナンバー（Line Number）はラインナンバー０（Line Number０），ラインナンバー１（Line Number１）の２ワードで構成され、それぞれ、図５に示すように、Ｌ９〜Ｌ０：Line Number，Ｒ５〜Ｒ０：Reserved Bit，ＥＰ１：Ｌ７〜Ｌ０に対する偶数パリティ，ＥＰ２：Ｒ５〜Ｒ０およびＬ９，Ｌ８に対する偶数パリティである。
ラインナンバー（Line Number）に続いてラインナンバーＣＲＣ（Line Number ＣＲＣ）が配置される。ラインナンバーＣＲＣ（Line Number ＣＲＣ）は２ワードで構成され、図６に示すように、Ｂ０〜Ｂ８：Ｃ８〜Ｃ０チェックコードとＢ９：その補数，Ｂ０〜Ｂ８：Ｃ１７〜Ｃ９チェックコードとＢ９：その補数からなり、データＩＤ（Data ＩＤ）からラインナンバー１（Line Number１）までの５ワードの１０ビット幅すべてを対象とする。ラインナンバーＣＲＣ（Line Number ＣＲＣ）に対する生成多項式は、Ｇ（Ｘ）＝Ｘ18＋Ｘ5＋Ｘ4＋１で、これは国際電気通信基準を規定するＩＴＵ−Ｔ  Ｘ．２５で規定するものと同一である。
このラインナンバーＣＲＣ（Line Number ＣＲＣ）の生成回路を図７に示す。図７において、この生成回路は入力シリアルデータと初段に帰還させた１８段目の出力シリアルデータを入力するイクスクルシブオア回路１７０と、イクスクルシブオア回路１７０の出力を入力する４段のＤフリップフロップ１７１と、Ｄフリップフロップ１７１の出力と４段目に帰還させた出力シリアルデータを入力するイクスクルシブオア回路１７２と、イクスクルシブオア回路１７２の出力を入力する１段のＤフリップフロップ１７３と、Ｄフリップフロップ１７３の出力と５段目に帰還させた出力シリアルデータを入力するイクスクルシブオア回路１７４と、イクスクルシブオア回路１７４の出力を入力して最終段の１８段の出力シリアルデータを出力する１３段のＤフリップフロップ１７５とを有する。
このような１８段のＤフリップフロップ１７１、１７３、１７５により１８ビットのフィードバックシフトレジスタを構成した生成回路により、１８段、５段および４段を初段にフィードバックしてイクスクルシブオアをとることにより、上述した生成多項式に基づいた変調方式により誤り検出用コードが生成される。
ラインナンバーＣＲＣ（Line Number ＣＲＣ）の初期値は、生成回路の１８段のＤフリップフロップ１７１、１７３、１７５によりそれぞれＩＦＦｈ，１ＦＦｈにセットされる。
コード（Ｃｏｄｅ）は、ペイロード中のデータの種類を表す。コード（Ｃｏｄｅ）は１ワードで次の値を持つ。つまり、１０１ｈ：ペイロード中のデータはＳＤＴＩを表し，２００ｈ：ペイロード中のデータはＳＤＩを表す。
デスティネーションアドレス（Destination Address）はデータ伝送先のアドレスを表し、ソースアドレス（Source Address）はデータ伝送元のアドレスを表し、共に１６ワードで構成される。
ブロックタイプ（Block Type）はペイロードセグメンテーションを識別するためのものであり、Ｂ７〜Ｂ０：下位８ビットのデータ部分と、Ｂ８：Ｂ７〜Ｂ０に対する偶数パリティ、およびＢ９：Ｂ８の補数からなるパリティ部分とで構成される。
ブロックタイプは固定ブロックサイズに応じて１０１ｈ〜１４６ｈの値を持ち、それぞれワードおよびブロックを異ならせてセグメンテーションを設定している。このセグメンテーションで設定されたユーザーデータワードの最大値はライン当たり１４３８ワードである。
可変ブロックサイズに対するブロックタイプは１Ｃ１ｈの値を持つ。可変ブロックサイズに対しては連続した１４３８以上のユーザデータワードが認められる。
ＣＲＣフラグ（ＣＲＣ flag）はペイロード中のＣＲＣの存在を識別するためのものである。ＣＲＣフラグ（ＣＲＣ flag）は１ワードで、その値により、１０１ｈ：ＣＲＣはペイロードの最後に置かれる（Active）場合と、２００ｈ：ＣＲＣはペイロードに置かれない（Inactive）場合とがある。
データスタートポジション（Data start position）はペイロードの始まる位置を表す。データスタートポジション（Data start position）の値は、図８に示すように、５２５／６０システムで１ＥＦｈ（２２７番目）、６２５／５０システムでＩＥＦｈ（２３９番目）となる。ただし、ペイロードがアンシラリデータエリアの残りを使って最大サイズまで拡張されると、データスタートポジション（Data start position）の値は、１０８ｈ（８番目のワード）となる。このときユーザーデータはチェックサム（Check Sum）アドレスの次から挿入される。ペイロードが拡張された場合でもＳＡＶはデータストリーム内になければならない。データスタートポジション（Data start position）１５９はＢ７〜Ｂ０：下位８ビットのデータ部分と、Ｂ８：Ｂ７〜Ｂ０に対する偶数パリティ、およびＢ９：Ｂ８の補数からなるパリティ部分とで構成される。
ヘッダーエクスパンションリザーブドデータ（Header Expansion Reserved Data：Reserved ０（１６０），Reserved１（１６１），Reserved２（１６２），Reserved３（１６３））は、データスタートボジション（Data start position）１５９の後に置かれる。
ヘッダーＣＲＣ０（Header ＣＲＣ ０）（１６４）、ヘッダーＣＲＣ１（Header ＣＲＣ １）（１６５）は、アンシラリデータに続いて挿入される。ヘッダーＣＲＣ（Header ＣＲＣ）はコード（Ｃｏｄｅ）１５４からリザーブド  ３（Reserved ３）（６３）までの１０ビット幅すべてを対象とする。ヘッダーＣＲＣ（Header ＣＲＣ）に対する生成多項式はラインナンバーＣＲＣ（Line Number ＣＲＣ）（１５２）のものと同じである。
チェックサム（Check Sum）１６６ワードはデータＩＤ（Data ＩＤ）１４７からヘッダーＣＲＣ１（Header ＣＲＣ １）（１６５）までのデータの有効性を確認するためのものである。
次に、ユーザーデータ信号フォーマットについて説明する。ユーザーデータは５２５／６０システムでは１２ライン〜２７５ライン、６２５／５０システムでは８ライン〜３２１ラインに挿入される。
次に、ユーザーデータの９−ｂｉｔ  ｔｏ  １０−ｂｉｔマッピングについて説明する。ユーザーデータは、図９に示すように、Ｂ７〜Ｂ０：下位８ビットのデータ部分と、Ｂ８：Ｂ７〜Ｂ０に対する偶数パリティとから構成されるか、またはＢ８〜Ｂ０：下位９ビットのデータ部分と、Ｂ９：Ｂ８の補数からなるパリティ部分とで構成される。
次に、ユーザーデータヘッダー（User Data Header）について説明する。ユーザーデータの各ブロックの前にはユーザーデータヘッダーが置かれる。ユーザーデータヘッダーは、固定ブロックサイズの場合は図１０に示すように構成され、可変ブロックサイズの場合は図１１に示すように構成される。固定ブロックサイズの場合は図１０においてセパレーター（Separator）１８０，タイプ（Type）１８１，ワードカウント（Word count）１８２，とからなるユーザーデータヘッダーがユーザーデータ（User data）１８３の前に置かれ，最後にエンドコード（End code）１８４が置かれる。可変ブロックサイズの場合は図１１においてタイプ（Type）１８１からなるユーザーデータヘッダーがユーザーデータ（User data）１８３の前に置かれる。
ブロックタイプ（Block Type）１５７が可変ブロックサイズと識別されると、図１１において、セパレーター（Separator）１８０、エンドコード（End code）１８４，ワードカウント（Word count）１８２が挿入される。各データブロックは、セパレーター（Separator）１８０で始まり、エンドコード（End code）１８４で終わる。セパレーター（Separetor）１８０の値は３０９ｈ、エンドコード（End code）１８４の値は３０Ａｈである。
ワードカウント（Word count）１８２は、図１２に示すように、４ワードで構成され、ユーザーデータワードの数を表すもので、Ｃ３１〜Ｃ０：データ、ＥＰ１：Ｃ７〜Ｃ０に対する偶数パリティ、ＥＰ２：Ｃ１５〜Ｃ８に対する偶数パリティ、ＥＰ３：Ｃ２３〜Ｃ１６に対する偶数パリティ、ＥＰ４：Ｃ３１〜Ｃ２４に対する偶数パリティである。
タイプ（Type）１８１は、データストリームのタイプを識別するものであり、２５６の異なった状態を持ち得、Ｂ７〜Ｂ０：下位８ビットのデータ部分と、Ｂ８：Ｂ７〜Ｂ０に対する偶数パリティ、およびＢ９：Ｂ８の補数からなるパリティ部分とで構成される。
また、ＣＲＣフラグがアクティブの場合、図４Ａに示すように、ＣＲＣ１０５がペイロード部１０４の最後に挿入される。ＣＲＣ１０５はペイロード部１０４全体を対象とする。ペイロード部１０４が拡張される場合にはＣＲＣ１０５も拡張ユーザーデータエリアを対象とする。ＣＲＣ１０５に対する生成多項式は、Header ＣＲＣおよびLine Number ＣＲＣに対する生成多項式と同じである。
続いて、図１３を参照してリファレンスフレーム信号について説明する。
タイミングリファレンス信号１９０は、同期ワードとして定義されている「３ＦＦ，０００，０００」と，タイミングワードとして定義されている「ＸＹＺ」等のデータから構成される。この同期ワード及びタイミングワードは、上述したＥＡＶ，ＳＡＶに配置される。
このような同期ワードを用いるのは、Ｂ９（ＭＳＢ）〜Ｂ０（ＬＳＢ）のデータがシリアルで送られてきたとき、例えばその内容あるいは前後のデータとの関係からみてその画像データがどの位置の輝度情報を表しているかを判断するために、特定のユニークに決まるパターンを認識させ、そのパターンの直後に位置を示す情報を入れるようにするためである。つまり、画像データ中には絶対に出現することのないパターンを同期パターンとして使用している。本発明の実施例においては、「３ＦＦ」「０００」「０００」の組み合わせを同期パターンとして使用している。この「３ＦＦ」「０００」「０００」からなる同期パターンデータは、１が１０個連続した後に０が２０個連続しているデータであって、画像データの中には１００％出現することはない。よって、本発明の実施例における同期パターンは、絶対に、画像データと誤って検出することがない。。タイミングワード「ＸＹＺ」は、このように確実に検出される同期ワード「３ＦＦ，０００，０００」の直後に配置されているので、同期ワードと同じように、誤検出無く確実に検出することができる。
本発明の実施例においては、このタイミングワード「ＸＹＺ」として、特定の情報が定義されている。具体的には、タイミングワード「ＸＹＺ」１９１の第２番目の上位ビットＢ８として図示されている「Ｆ」は、「０」のとき第１フィールドを示し、「１」のとき第２のフィールドを示している。また、タイミングワードの「ＸＹＺ」１９１の第３番目の上位ビットＢ７として図示されている「Ｖ」は、「０」のとき有効画像期間を示し、「１」のとき垂直ブランキング期間を示す。従って、このタイミングワードの「ＸＹＺ」１９１の第２番目の上位ビットＢ８及び第３番目の上位ビットＢ７を参照することによって、そのデータが第１フィールドまたは第２フィールドに位置しているか、または水平方向の有効画像期間または垂直ブランキング期間に位置しているかを識別することができる。
この第２番目の上位ビットＢ８及び第３番目の上位ビットは、リファレンスフレーム（reference frame）信号１９２として参照されることもある。
以上説明したように、本実施の形態において用いているＳＤＴＩフォーマットは、ＥＡＶ（End of Active Video）ブロックと、アンシラリーデータブロックと、上記ペイロードブロックと、ＳＡＶ（Start of Active Video）ブロックと、ＣＲＣＣ（Cyclic Redundancy Check Code）ブロックと有して構成されている。
ここで、複数チャンネルのデータを伝送する場合には、上記複数チャンネルのビデオデータをそれぞれＭＰＥＧ符号化して複数チャンネルのビデオデータを生成し、複数チャンネルのビデオデータを、ＳＤＴＩのペイロード部に挿入することによって、ＳＤＴＩに変換されたビデオデータを生成し、ＳＤＴＩに変換された複数チャンネルのビデオデータを多重化することによって、ＳＤＴＩの多重化されたビデオデータを生成し、ＳＤＴＩの多重化されたデータを伝送することにより行う。
上記アンシラリーデータブロックには、上記所定のＳＤＴＩ特有のヘッダデータが挿入され、上記ヘッダデータは、上記複数チャンネルのビデオデータの伝送先を示すデスティネーションアドレスが上記複数チャンネル毎に設定されている。
上記ＥＡＶブロック及び上記ＳＡＶブロックには、上記ペイロード部に挿入されたビデオデータの信号処理タイミングを示すタイミング信号が挿入され、上記多重化部（ＭＵＸ）は、上記タイミング信号に基づいて上記複数チャンネルのビデオデータを多重化する。
上記タイミング信号は、上記ビデオデータのフレーム又はフィールドに同期した信号である。
また、本発明をＮ倍速で再生した符号化ビデオデータ転送に適用することもでき、上記送信装置側では、符号化されたビデオデータをＮ倍速で再生し、Ｎ倍速で再生されたビデオデータを、上記Ｎ倍速に対応するレートで伝送するために、所定のシリアル伝送用のフォーマットに変換し、フォーマット変換されたＮ倍速のビデオデータを、上記送信装置から上記受信装置に上記Ｎ倍速に対応するレートで伝送し、上記受信装置側では、上記伝送手段から上記Ｎ倍速に対応するレートで伝送されたＮ倍速のビデオデータを受信し、受信したＮ倍速のビデオデータをＮ倍速で記録する。
この場合、ＳＤＴＩフォーマットにおける上記ヘッダデータには、上記ビデオデータの伝送先を示すデスティネーションアドレスと上記ビデオデータの伝送元を示すソースアドレスが含まれ、Ｎ倍速のビデオデータが挿入された上記ペイロード部に対応するヘッダデータとして、同じデスティネーションアドレス及び同じソースアドレスが設定されている。
上記ＥＡＶブロック及び上記ＳＡＶブロックには、上記ペイロード部に挿入されたビデオデータの信号処理タイミングを示すタイミング信号が挿入されている。
次に、上述したように入力されるデータをＳＤＴＩフォーマットに変換すると共にＳＤＴＩフォーマットによる宛先アドレス情報を記録するための送信側のＳＤＴＩエンコーダ回路部、及びＳＤＴＩフォーマットを復号すると共にＳＤＴＩフォーマットによって付加された宛先アドレス情報を読み込むための受信側ＳＤＴＩデコーダ回路部の具体的な構成について説明する。
上記送信側回路部は、例えば上述したフィールドサイトの出力側あるいは後述する送信装置２１1，２１2，２１3，２１4のそれぞれ出力側に設けられるものであって、そして、上記受信側回路部は、例えば上述した地方局の入力側あるいは後述するデータ受信装置１の各受信部３1，３2，３3，３4のそれぞれ入力側に設けられるものである。
図１４に示すように、上記送信側回路部４１は、送信するデータを一旦記憶し、この記憶したデータをデータイネーブルによって出力制御されるメモリ４２と、メモリ４２からのデータについてデフォルトデータを設定するデフォルトデータ設定回路４３と、ヘッダを生成するヘッダレジスタ４８と、デフォルトデータ設定回路４３から出力されたデータにヘッダレジスタ４８によって生成したヘッダを付加するヘッダ付加回路４４と、ヘッダ付加回路４４から出力されたデータに付加されているヘッダにデータタイプ，ワードカウント及び当該ヘッダ部についてのエンドコード等を付加するセパレータエンドコード付加回路４５と、ＥＡＶ及びＳＡＶを付加するＥＡＶ／ＳＡＶ付加回路４６と、ＣＲＣＣ（Cyclic Redundancy Check Code）を付加するＣＲＣＣ付加回路４５と、外部クロックによって生成したタイミング信号をデフォルトデータ設定回路４３及びデータイネーブル発生回路５１に出力するタイミングジェネレータ５０と、データタイプ，ワードタイプ及びスタートライン等のデータを蓄積するデータ蓄積部５２及びデータ蓄積部５２内のデータを基にメモリ４２に記憶されているデータの出力制御を行うデータイネーブルを生成するデータイネーブルジェネレータ５３からなるデータイネーブル発生回路５１と、ＣＰＵからのデータ等をヘッダレジスタ４８や情報蓄積部５２に出力するＣＰＵインターフェース（ＣＰＵ・Ｉ／Ｆ）４９と、ＣＰＵインターフェース４９からの信号にＥＡＶ、ＳＡＶのＸＹＺワードを作成するＸＹＺジェネレータ（generator）５４を備えている。
このように構成した送信側回路部４１は、メモリ４２に一旦記憶されたデータにヘッダを付加して、ヘッダ内に宛先アドレス情報等を格納する。この送信側回路部４１によって、送信装置に入力されたビデオ信号に宛先アドレス情報を付加することができる。
この送信側回路部４１においては、ＣＰＵインターフェース４９から各部に制御信号が入力されている。送信側回路部４１の各部は、ＣＰＵインターフェース４９からの制御信号の制御の基に処理を実行する。
なお、送信側回路部４１における動作については後述する。
図１５に示すように、受信側回路部６１は、入力されたデータに付加されているヘッダ内のＥＡＶ及びＳＡＶを読み出すＥＡＶ／ＳＡＶ読み出し回路６２と、入力されたデータに付加されているヘッダ内のＣＲＣＣをチェックするＣＲＣＣチェック回路６３と、外部クロックによって生成したタイミング信号をＣＲＣＣチェック回路６３及びアプリケーションデータディテクタ６８等に出力するタイミングジェネレータ６５と、ＣＰＵからの受信アドレスやデータタイプが入力されるデータレギュレータ６７及び入力されたデータに付加されていた宛先アドレス情報等を読み出すアプリケーションデータディテクタ６８からなるデータイネーブル発生回路６６と、受信側回路部６１から出力されたデータを記憶するメモリ６４と、ＣＰＵからの受信アドレス等をデータイネーブル発生回路６６に出力するＣＰＵインターフェース（ＣＰＵ・Ｉ／Ｆ）６９とを備えている。
上記データイネーブル発生回路６６は、データレギュレータ６７に入力されたＣＰＵからの宛先アドレス情報とアプリケーションデータディテクタ６８が読み込んだ上記入力されたデータに付加された宛先アドレス情報を比較して、一致した場合、データイネーブルをメモリ６４に出力する。
このように構成した受信側回路部６１は、入力されたデータをメモリ６４に一旦記憶し、ＣＰＵからの受信アドレスと入力されたデータに付加されていた宛先アドレス情報とが一致した場合に、メモリ６４からデータを出力する。この受信側回路部６１によって、データ受信装置１の各受信部は、ビデオ信号を選択的に受信することができる。
なお、受信側回路部６１における動作については後述する。
次に、本発明の第２の実施の形態について説明する。
この第２の実施の形態は、デーータを中継等するために受信するデータ受信装置に関するものである。
データ受信装置１は、入力データの全ての宛先アドレス情報を読み出す宛先情報読み出し手段とされるアドレス情報読み出し回路２と、所定の受信アドレスが設定され、入力データの内の当該設定された受信アドレスのデータを受信する受信手段とされる受信部３1，３2，・・・，３n-1，３nと、アドレス情報読み出し回路２が読み出した宛先アドレス情報を基に受信部３1，３2，・・・，３n-1，３nそれぞれの受信アドレスを設定するアドレス設定機能を有するＣＰＵ４と、入力されたデータを遅延させて出力する遅延回路５とを備える。
ここで、データ受信装置１に入力されるデータは、例えば多重化されたデータ群からなる、いわゆるシリアルデータから構成している。そして、各データには、宛先アドレス情報が付加されている。例えば、データは、ディジタルビデオ信号やディジタルオーディオ信号等である。
上記データ受信装置１は、入力される各データの宛先アドレス情報を基に、入力されたデータを宛先別に自動受信するように構成している。
上記アドレス情報読み出し回路２は、入力されるデータ全てについて、そのデータに付加されている宛先アドレス情報を読み出す。アドレス情報読み出し回路２によって読み出された宛先アドレス情報は、ＣＰＵ４に入力される。このアドレス情報読み出し回路２は、入力されるデータの全てについて宛先アドレス情報を読み出し、ＣＰＵ４にその宛先アドレス情報を出力している。
ＣＰＵ４は、上記宛先アドレス情報をもとに受信部３1，３2，・・・，３n-1，３nそれぞれの受信アドレスを設定する。受信アドレスは、上記宛先アドレス情報に対応して設定される。なお、ＣＰＵ４の処理にインテリジェンス機能を持たせることで、欠落エラー信号等への対応が可能になる。
遅延回路５は、入力されたデータを遅延させて出力する回路である。遅延回路５は、例えば、少なくともアドレス情報読み出し回路２が入力されたデータの宛先アドレス情報を読み出し、ＣＰＵ４がアドレス情報読み出し回路２の読み出した宛先アドレス情報をもとに受信部３1，３2，・・・，３n-1，３nの受信アドレスを設定するまでの時間分遅延させる機能を有する。
受信部３1，３2，・・・，３n-1，３nは、ＣＰＵ４によって設定された受信アドレスに一致する宛先アドレス情報が付加されているデータのみを受信する。
このようにデータ受信装置１は、多重化されて入力された各データの宛先アドレス情報をアドレス情報読み出し回路２によって読み出し、この読み出した宛先アドレス情報を基にＣＰＵ４によって各受信部３1，３2，・・・，３n-1，３nの受信アドレスを設定している。これによりデータ受信装置１は、受信部３1，３2，・・・，３n-1，３nにそれぞれ設定された受信アドレスと一致する宛先アドレス情報が付加されていたデータのみを受信している。よって、例えば、多重化され入力されるデータがデータストリーム中に如何なる順番になっていても、各受信部３1，３2，・・・，３n-1，３nは、選択的にデータを受信することができる。
したがって、データ受信装置１は、入力されるデータに付加されている宛先アドレス情報にあわせてデータ入力前に予めデータの宛先別に受信部３1，３2，・・・，３n-1，３nを設定することなく、入力されてくるデータを各受信部３1，３2，・・・，３n-1，３nにおいて自動的に受信できるようになる。
例えば、このデータ受信装置１により、各宛先毎に自動受信したデータを、各宛先の機器に出力させることができる。
また、ユーザにとっては、データ受信装置１を用いることで、入力されるデータの宛先を意識することなく、データを受信することができ、また受信したデータを各宛先毎の機器に出力できることになる。
なお、データ受信装置１は、遅延回路５を備えることなく、各受信部３1，３2，・・・，３n-1，３nによって宛先別のデータを受信することができる。この場合、各受信部３1，３2，・・・，３n-1，３nがＣＰＵ４により受信アドレスの設定させた後に各受信部３1，３2，・・・，３n-1，３nが各宛先別のデータを受信する。
以下、データ受信装置１について、具体的な例を示して説明する。
図１７は、ＶＴＲ１４，ディジタルビデオカメラ１５及びアナログビデオカメラ１６から送信されてくる各ビデオ信号を、いわゆるＳＤＴＩフォーマットにような宛先アドレス情報が付加されたフォーマットに変換させた信号を受信する場合であって、上記図１６のデータ受信装置１を中継送信装置１１に適用した場合について示している。
ＶＴＲ１４，ディジタルビデオカメラ１５及びアナログビデオカメラ１６から送信されるビデオ信号について、それぞれ宛先アドレス情報が付加された信号、例えば上記ＳＤＴＩフォーマットの信号への変換は、中継送信装置１１の前段に接続されたＳＤＴＩ変換回路１７によって行う。
中継送信装置１１は、上述のデータ受信装置１の実施の形態と同様に、アドレス情報読み出し回路２と、受信部３1，３2，３3，３4と、ＣＰＵ４と、遅延回路５とを備えている。ここで、アドレス情報読み出し回路２，受信部３1，３2，３3，３4，ＣＰＵ４及び遅延回路５は、上述の実施の形態において説明した機能と同様の機能を有している。
中継送信装置１１は、受信部３1，３2，３3，３4それぞれから出力されたビデオ信号について伝送路に乗せるための変換を行う信号処理手段として、ビデオ信号について多重化，変調等を行うディジタル信号処理部１２と、ディジタル信号処理部１２から出力された信号を伝送路に乗せるための送信部１３とを備えている。
このように構成された中継送信装置１１に、ＳＤＴＩ変換回路１７によって宛先アドレス情報の付加処理等がなされたＶＴＲ１４，ディジタルビデオカメラ１５及びアナログビデオカメラ１６からの各ビデオ信号が入力される。
ＳＤＴＩ変換回路１７は、ＳＤＴＩフォーマットによる伝送パケットにビデオ信号を格納するものであって、ビデオ信号に宛先アドレス情報等を含めた補助情報を付加する。なお、ＳＤＴＩフォーマットは、ビデオ信号以外にも種々の信号の伝送に適用することも意図して構成されるものでもある。
なお、ビデオ信号は、例えばＭＰＥＧ方式を採用してディジタル圧縮されている。例えば、ディジタル圧縮は、ＶＴＲ１４，ディジタルビデオカメラ１５及びアナログビデオカメラ１６において行う。これにより、例えば、図１８中のＳA及びＳBに示すように、２フレーム（４フィールド）分（ＳA）を１圧縮画像単位（ＧＯＰ）として１フィールド時間内に組み入れる（ＳB）ような構成にすることができる。よって、１フィールド／１ＧＯＰで１信号が送信可能になり、４信号分の同時送信、又は４倍速の送信が可能になる。
そして、ＳＤＴＩ変換回路１７は、上述のようにディジタル圧縮したビデオ信号を格納した伝送用パケットを多重化する機能を有している。ＳＤＴＩ変換回路１７は、図１９に示すように伝送用パケットを多重化する。図１９において、信号Ａは、１基本ユニット（２フレーム）中に２回出現しているので、例えば２倍速伝送される信号であって、信号Ｂ及び信号Ｃは、１基本ユニット中に１回の出現頻度なので例えば標準伝送である。信号Ａは、例えばＶＴＲ１４によるビデオ信号であって、信号Ｂ及び信号Ｃは、例えばディジタルビデオカメラ１５及びアナログビデオカメラ１６のビデオ信号である。
ＳＤＴＩ変換回路１７によって、ＳＤＴＩフォーマットによる宛先アドレス情報の付加がなされ、多重化されたビデオ信号は、中継送信装置１１に出力される。
中継送信装置１１は、上述の実施の形態とされるデータ受信装置１と同様に、入力された各ビデオ信号に付加された宛先アドレス情報を基にＣＰＵ４によって各受信部３1，３2，３3，３4の受信アドレスを設定する。中継送信装置１１は、受信部３1，３2，３3，３4によって、それぞれの受信アドレスに一致する宛先アドレス情報が付加されているビデオ信号のみを受信して、宛先別にビデオ信号を出力する。
受信部３1，３2，３3，３4から出力された宛先別のビデオ信号は、ディジタル信号処理部１２に入力される。ディジタル信号処理部１２は、入力された各ビデオ信号について信号処理等を行う。そして、受信部３1，３2，３3，３4は、信号処理後のビデオ信号を多重化し、さらに変調処理して出力する。ディジタル信号処理部１２において多重化されたビデオ信号は、送信部１３により伝送路に乗せるための処理がされてから伝送路に出力される。
データ受信装置１を上述のように中継送信装置１１として用いることで、ＶＴＲ１４，ディジタルビデオカメラ１５及びアナログビデオカメラ１６からのビデオ信号に固有の宛先アドレス情報を設定しない場合、すなわち任意的に宛先アドレス情報が設定された場合であっても、データが入力される前に予め各受信部３1，３2，３3，３4の宛先を設定することなく、各ビデオ信号を自動受信することができる。
すなわち、例えば、ＶＴＲ１４等から送信されるビデオ信号について常に固有の宛先アドレス情報が決定されていない場合であっても、中継送信装置１１によって各ビデオ信号を受信するこができる。
また、ユーザは、中継送信装置１１を用いることで、入力されるビデオ信号に付加されている宛先アドレス情報を意識することなく、当該宛先アドレス情報が付加された各ビデオ信号を受信することができる。
そして、中継送信装置１１は、各ビデオ信号を自動的に受信して、各ビデオ信号を個別にディジタル信号処理部１２等に送ることで送信に必要な処理を行わせることができるようになる。例えば、異なる伝送フォーマットの伝送路によって送信信号を伝送する場合には、受信部３1，３2，３3，３4から個別に出力したビデオ信号に送信に適宜必要な処理を中継送信装置１１で施すことができる。
また、伝送路の伝送容量が充分に大きい場合、ＳＤＴＩフォーマットのようなマルチチャンネル・マルチスピードによって入力される信号であっても、中継送信装置１１は自動受信して、当該入力された信号を上記伝送路に乗せることができる。
なお、図２０に示すように信号Ａ，信号Ｂ，信号Ｃ，信号Ｄ及び信号Ｅが共に多重化された場合であっても、中継送信装置１１は、機能する。ＣＰＵ５は、例えば、入力される各種信号にあわせて順次受信部３1，３2，３3，３4の受信アドレスを設定する。すなわち、図２０において信号の種類でみた場合、信号Ａ，信号Ｂ，信号Ｃ，信号Ｄ，信号Ｅの順番で中継送信装置１１に入力されているので、受信部３1の受信アドレスを信号Ａに対応して設定し、受信部３2の受信アドレスを信号Ｂに対応して設定し、受信部３3の受信アドレスを信号Ｃに対応して設定し、受信部３4の受信アドレスを信号Ｄに対応して設定する。
よって、４個の受信部３1，３2，３3，３4により信号Ａ，信号Ｂ，信号Ｃ，信号Ｄが受信され、信号Ｅが受信されない。例えば、このように複数宛先の信号が入力される場合であっても、受信部の個数を限定することで、伝送容量に制限がある伝送手段を用いることができるようになる。一方で、信号Ｅを受信する場合には、受信部を１個追加することで送信可能になる。
なお、受信部の受信アドレスを一定の設定更新期間をもって変更可能とさせることで、現在入力されていない信号に換えて新たに入力されている信号を受信することができる。これにより、例えば図２０において、信号Ｂに換えて、信号Ｅを受信することができるようになる。
上述のように構成された中継送信装置１１は、図２１に示すように、データ伝送システム２０内に備えることもできる。
データ伝送システム２０は、データ送信側に、送信装置２１1，２１2，２１3，２１4と、送信装置２１1，２１2から出力された信号Ｓ１，Ｓ２を多重化する混合回路２５1と、送信装置２１1，２１2，２１3，２１4から出力された信号Ｓ１，Ｓ２，Ｓ３，Ｓ４を多重化する混合回路２５2と、混合回路２５1で多重化された信号を中継して送信する中継送信装置１１1と、混合回路２５2で多重化された信号を中継して送信する中継送信装置１１2とを有している。また、データ伝送システム２０は、データ受信側に、中継受信装置２２1，２２2と、中継受信装置２２1から出力された信号が入力される受信装置２３1と、中継受信装置２２2から出力された信号が入力される受信装置２３2，２３3，２３4とを有している。
そして、データ伝送システム２０は、中継送信装置１１1と中継受信装置２２1が伝送路２４1によって接続されており、中継送信装置１１2と中継受信装置２２2が伝送路２４2によって接続されている。
なお、伝送路２４1，２４2は、伝送容量が適宜設定されている。ここでは、例えば、伝送路１１1は、２チャンネルの信号伝送分の伝送容量を有し、伝送路２４2は、４チャンネルの信号伝送分の伝送容量を有している。
また、中継送信装置１１1は、例えば２個の受信部を備え、中継送信装置１１2は、例えば図１７に示すように、４個の受信部を備えているものとする。
このように構成されるデータ伝送システム２０において、例えば、送信装置２１1に入力される信号Ｓ１を受信装置２３2に、また送信装置２１2に入力される信号Ｓ２を受信装置２３1に、さらに送信装置２１3に入力される信号Ｓ３を受信装置２３4に、そして送信装置２１4に入力される信号Ｓ４を受信装置２３3に、それぞれ送信する場合について説明する。
上記送信装置２１1，２１2，２１3，２１4は、入力される各信号に宛先アドレス情報を付加する。送信装置２１1，２１2，２１3，２１4は、例えば、上述したＳＤＴＩフォーマットに基づいて上記各信号Ｓ１，Ｓ２，Ｓ３，Ｓ４にそれぞれの宛先アドレス情報を付加する。送信装置２１1，２１2，２１3，２１4によって宛先アドレス情報が付加された各信号は、混合回路２５1及び混合回路２５2を介して中継送信装置１１1，１１2に入力される。なお、送信装置２１1，２１2，２１3，２１4は、例えば上述のようなＶＴＲ，ディジタルビデオカメラ等を内部に備えるものであってもよく、装置内部のＶＴＲやディジタルビデオカメラ等からの出力信号に宛先アドレス情報を付加して例えばＳＤＴＩフォーマットの信号として出力する。
ここで、送信装置２１1及び送信装置２１2からの信号Ｓ１及び信号Ｓ２は、混合回路２５1によって多重化されて中継送信装置１１1において入力される。また、送信回路２１1，送信装置２１2，送信装置２１3及び送信装置２１4からの信号Ｓ１，信号Ｓ２，信号Ｓ３及び信号Ｓ４は、混合回路２５2によって多重化されて中継送信装置１１2において入力される。
中継送信装置１１1及び中継送信装置１１2は、上述したように、自動受信可能に構成されている。すなわち、中継送信装置１１1及び中継送信装置１１2は、入力されたデータに付加された宛先アドレス情報を基に各受信部の受信アドレスを設定し、入力された信号を各受信部によって宛先別に自動受信して、ディジタル信号処理部及び送信部によって、信号処理等を行い、再び多重化信号として出力する。
よって、中継送信装置１１1は、多重化されて入力される送信装置２１1及び送信装置２１2からの信号Ｓ１及び信号Ｓ２を自動受信して伝送路２４1に出力する。また、中継送信装置１１2は、多重化されて入力される送信装置２１1，送信装置２１2，送信装置２１3及び送信装置２１4からの信号Ｓ１，信号Ｓ２，信号Ｓ３及び信号Ｓ４を自動受信して伝送路２４2に出力する。
次に、伝送路２４1を介して送られた信号が中継受信装置２２1で受信され、例えばＳＤＴＩフォーマットの多重化信号が受信装置２３1に入力され、また、伝送路２４2を介して送られた信号が中継受信装置２２2で受信され、例えばＳＤＴＩフォーマットの多重化信号が受信装置２３2，２３3，２３4に入力される。
受信装置２３1，２３2，２３3，２３4は、それぞれ入力された多重化信号内の自分に宛てに送信されてきた信号のみを受信する。例えば、受信装置２３1，２３2，２３3，２３4は、各信号に付加されている宛先アドレス情報によって、自分宛てに送られてきた信号のみを選択的に受信する。
このように、受信装置２３1，２３2，２３3，２３4は、送信装置２１1，２１2，２１3，２１4が送信した信号の内のそれぞれ自分宛てに送られてきた信号Ｓ２，信号Ｓ１，信号Ｓ４，信号Ｓ３を受信することができる。
このようなシステムによれば、各中継送信装置１１1，１１2に入力される信号の宛先アドレス情報が変更されても、上記ＣＰＵにより各受信部の受信アドレスが変更された受信アドレスに自動的に設定され、自動受信が可能になっている。なお、上記宛先アドレス情報が変更される具体例としては、中継送信装置１１1，１１2に接続される送信装置が変更される場合や、新たな送信装置が加えられる場合が挙げられる。
例えば、データ伝送システム２０において、送信側の送信装置２１1，２１2，２１3，２１4の何れかが他の送信装置に変更された場合であっても、中継送信装置１１1及び中継送信装置１１2が変更された送信装置からの送信信号を自動受信することができるため、受信側の受信装置２３1，２３2，２３3，２３4は変更された送信装置から送信された信号であっても、受信することができる。
また、データ伝送システム２０において、例えば、送信装置が新たに加えられた場合であっても、中継送信装置１１1及び中継送信装置１１2が受信部の個数分しか自動受信しないため、常に伝送路の伝送容量に合わせて送信信号が伝送される。すなわち、データ伝送システム２０において、伝送路の伝送容量が充分ではなく、信号を選択的に伝送する場合に、中継送信装置１１1及び中継送信装置１１2は効果的に作用する。
また、図２２は、データ受信装置１の他の応用例として、各種ビデオ信号が多重化されて入力された信号を複数のモニタに映す場合の構成を示している。この場合、データ受信装置１は、図２２に示すように、その出力側に複数のＶＴＲ３１1，３１2，３１3，３１4及びモニタ３２1，３２2，３２3，３２4を配置する。ここで、ＶＴＲ３１1，３１2，３１3，３１4は、それぞれデータ受信装置１の受信部３1，３2，３3，３4と接続される。
データ受信装置１は、入力される多重化信号を構成する各種ビデオ信号に付加された宛先アドレス情報に基づいて、各種ビデオ信号を選別して後段のＶＴＲ３１1，３１2，３１3，３１4それぞれに出力する。ＶＴＲ３１1，３１2，３１3，３１4に入力されたビデオ信号は、例えば記録媒体に記録させたり、モニタに３２1，３２2，３２3，３２4に出力される。
このようにデータ受信装置１を用いることで、宛先アドレス情報にかかわらず、入力された各ビデオ信号を各ＶＴＲ３１1，３１2，３１3，３１4に出力することができる。
例えば、データ受信装置１に入力されるビデオ信号の宛先アドレス情報を予め知っていなくても、受信部３1，３2，３3，３4によって自動受信することができるため、受信部３1，３2，３3，３4それぞれから当該自動受信したビデオ信号を各ＶＴＲ３１1，３１2，３１3，３１4に出力することができる。
また、例えば、受信アドレス変更設定機能を設けることで、データ受信装置１に入力されるビデオ信号の宛先アドレスが変更されても、現在受信されていないビデオ信号の宛先アドレスから新たに入力されたビデオ信号の宛先アドレスに受信部の受信アドレスを変更することで、当該受信アドレスを変化させた受信部に接続されるＶＴＲに当該変更されたビデオ信号を出力することができる。
そして、例えば、ユーザは、各ＶＴＲ３１1，３１2，３１3，３１4に、入力される各ビデオ信号の宛先を予め把握する必要がなくなる。
次に、ＳＤＴＩフォーマットによるデータの送信及び受信の動作について説明する。
最初に、ＳＤＴＩフォーマットによるデータの送信の一例を、図１４に示す送信側回路部４１を参照して説明する。
外部から供給されたデータに対しては、５３ワードからなるＳＤＴＩヘッドデータパケットが付加される。このヘッドデータパケットを含むＳＤＴＩフォーマットについては、上で詳しく説明した。
送信側回路部４１においては、ＳＭＰＴＥ３０５Ｍに規定されるＳＤＴＩヘッダデータを記憶するために、ヘッダレジスタ４８が備えられている。このＳＤＴＩヘッダデータは、ＣＰＵからＣＰＵインターフェース４９を介して、ヘッダレジスタ４８に供給される。
ヘッダ付加回路４４は、供給されたデータに対して５３ワードからなるＳＤＴＩヘッダデータパケットを付加する。
送信側回路部４１には、ＥＡＶ／ＳＡＶを付加するＥＡＶ／ＳＡＶ回路４６が備えられている。ＥＡＶ／ＳＡＶ付加回路４６は、ＳＤＴＩヘッダが付加されたデータに対して新たにＥＡＶ／ＳＡＶを付加するための回路である。
送信側回路部４１は、ＸＹＺワードを生成する図示しないＸＹＺワード生成回路（generator; Gen）５４を備えている。ＸＹＺワード生成回路５４は、ＥＡＶ／ＳＡＶのＸＹＺワードを生成するための回路であって、このＸＹＺワード生成回路５４において生成されたＸＹＺワードがＳＤＴＩヘッダが付加されたデータに対して付加される。
送信側回路部４１は、ＣＲＣＣ（circular redundancy correction code）を付加するＣＲＣＣ付加回路４７を備えている。ＣＲＣＣ付加回路４７は、付加されたヘッダデータ及びペイロードのビデオ／オーディオのデータに対するＣＲＣＣを生成し、それを付加するための回路である。
また、送信側回路部４１は、同期信号を生成する同期生成回路を備えている。同期生成回路は、Ｆ／Ｖ／Ｈフラグから各回路を制御するための同期信号を発生する。
続いて、ＳＤＴＩフォーマットによるデータの送信の一例について、図１５に示した受信側回路部６１を参照して説明する。
タイミングジェネレータ６５は、入力データＥＡＶ／ＳＡＶ情報からタイミング信号を抽出するための回路である。具体的には、タイミングジェネレータ６５は、入力データに対してＥＡＶ／ＳＡＶが付加されている場合には、ＥＡＶ／ＳＡＶ読み出し回路６２にて入力データのＥＡＶ／ＳＡＶ情報を抽出し、この抽出したＥＡＶ／ＳＡＶにタイミングリファレンス信号として登録されたＸＹＺワードの内のフラグ「Ｆ」、「Ｖ」、「Ｈ」を参照する。
このフラグ「Ｆ」を参照することによって、ペイロード部に格納された映像データが、偶数フィールドにあるのか奇数フィールドにあるのかを判別することができる。
このフラグ「Ｖ」を参照することによって、ペイロード部に各区の宇された映像データが、有効画素期間のデータであるのか、垂直部ランキング期間のデータであるのかを判別することができる。
また、このフラグ「Ｈ」を参照することによって、現在参照しているワードＸＹＺが、ＥＡＶであるのかＳＡＶであるのかを判別することができる。
以上説明したように、本実施の形態においては、データはＳＤＴＩフォーマットにて送信され、データの送信の際には、ヘッダデータを上記符号化されたビデオデータに付加するヘッダ付加され、タイミング信号を示すフラグデータを生成し、そのフラグデータを上記ビデオデータの上記ＥＡＶブロック及び上記ＳＡＶブロックに付加するタイミング信号が付加され、ＣＲＣＣデータがビデオデータに付加される。
また、入力されるビデオデータは、ＭＰＥＧ（Moving picture experts group）規格に基づいて１ＧＯＰ（group of picture）毎に符号化され、上記多重化部にて１ＧＯＰに対応する期間を１シーケンスとして、上記複数チャンネルのビデオデータの多重化処理が施される。
次に、本実施の形態におけるＳＤＴＩフォーマットの具体的なデータについて説明する。
最初に、４チャンネルを多重化したビットストリームについて、図２３を参照して説明する。
図２３中のリファレンスフレーム信号ＳAは、１周期が１フレームに対応している。
本実施の形態では、画像の符号化の単位である画像群（group of pictures; GOP）は４フレームから構成され、リファレンスフレーム信号の４周期に対応している。
具体的には、ＧＯＰは画面内符号化画像であるＩ（intra）ピクチャ、表示順序で順方向及び逆方向の双方向を参照する双方向参照画像Ｂ（bidirectional）ピクチャ、表示順序で順方向を参照する順方向（predirectinal）参照画像であるＰピクチャ、及びＢピクチャの４フレームから構成される。
図２３中のＳBに示すように、各ＧＯＰは例えば１／８〜１／１０程度に圧縮されて、１フィールド（０．５フレーム）内に配置される。
第１チャンネルの１ＧＯＰ分のデータに対応する第１ビットストリーム“Ｖ１−１”、第２チャンネルの第１ビットストリーム“Ｖ２−１”、第３チャンネルの第１ビットストリーム“Ｖ３−１”、第４チャンネルの第１ビットストリーム“Ｖ４−１”のように、リファレンスフレーム信号の半周期毎の立ち上がり及び立ち下がりをそれぞれ始点として時間順序に配置される。
第１チャンネルの第１ビットストリーム“Ｖ１−１”の始点から、リファレンスフレーム信号の１ＧＯＰに対応する４フレーム期間が経過すると、同様にして第１チャンネルの第２ビットストリーム“Ｖ１−２”、第２チャンネルの第２ビットストリーム“Ｖ２−２”、第３チャンネルの第２ビットストリーム“Ｖ３−２”、第４チャンネルの第２ビットストリーム“Ｖ４−２”が配置される。
図２３中のＳCは、上述のように配置した４チャンネルを、ＳＤＴＩストリームとして時間順序に配列したものである。ここでは、４チャンネルの信号が多重化されたＳＤＴＩビットストリームとなっている。
具体的には、第１チャンネルの第１ビットストリーム“Ｖ１−１”、第２チャンネルの第１ビットストリーム“Ｖ２−１”、第３チャンネルの第１ビットストリーム“Ｖ３−１”、第４チャンネルの第１ビットストリーム“Ｖ４−１”に続いて、次のＧＯＰ周期からは、第１チャンネルの第２ビットストリーム“Ｖ１−２”、第２チャンネルの第２ビットストリーム“Ｖ２−２”、第３チャンネルの第２ビットストリーム“Ｖ３−２”、第４チャンネルの第２ビットストリーム“Ｖ４−２”が配列される。
上述の各ビットストリームの時間的な長さは、圧縮率等の相違により、一般にはビットストリーム毎に異なっている。
続いて、通常の速度の４倍の速度にて伝送する４倍速伝送について、図２４を参照して説明する。これは、例えば４倍速記録再生可能なディジタルＶＴＲを用いて、４倍速再生されたビデオデータを伝送する場合等に適用されるものである。
図２４中のリファレンスフレーム信号ＳAは、１周期が１フレームに対応している。
本実施の形態では、画像の符号化の単位である画像群（group of pictures; GOP）は４フレームから構成され、リファレンスフレーム信号の４周期に対応している。
具体的には、ＧＯＰは、Ｉピクチャ、Ｂピクチャ、Ｐピクチャ、及びＢフレームの４フレームから構成される。
図２４中のＳBに示すように、各ＧＯＰは例えば１／８〜１／１６程度に１フィールド（０．５フレーム）内に配置されるので、圧縮されて、第１チャンネルの１ＧＯＰ分のデータに対応する第１ビットストリーム“Ｖ１−１”、第１チャンネルの第２ビットストリーム“Ｖ１−２”、第１チャンネルの第２ビットストリーム“Ｖ１−３”、第１チャンネルの第４ビットストリーム“Ｖ１−４”のように、リファレンスフレーム信号の半周期毎の立ち上がり及び立ち下がりをそれぞれ始点として時間順序に配置される。
第１チャンネルの第１ビットストリーム“Ｖ１−１”の始点から、リファレンスフレーム信号の１ＧＯＰに対応する４フレーム期間が経過すると、同様にして第１チャンネルの第５ビットストリーム“Ｖ１−５”、第１チャンネルの第６ビットストリーム“Ｖ１−６”、第１チャンネルの第７ビットストリーム“Ｖ１−７”、第１チャンネルの第８ビットストリーム“Ｖ１−８”が配置される。
なお、このＳＤＴＩビットストリームにおいて、４倍速の第１チャンネルのビデオデータと共に、他のチャンネルのビデオデータを多重化して伝送することも可能であり、例えば、第１チャンネルの第４ビットストリーム“Ｖ１−４”の次に第２チャンネルの第１ビットストリーム“Ｖ２−１”を配列することもできる。
図２４中のＳCは、上述のように配置した第１チャンネルの各ビットストリームを、ＳＤＴＩストリームとして時間順序に配列したものである。ここでは、第１チャンネルの信号が４倍速にて多重化されたＳＤＴＩビットストリームとなっている。
具体的には、第１チャンネルの第１ビットストリーム“Ｖ１−１”、第１チャンネルの第２ビットストリーム“Ｖ１−２”、第１チャンネルの第３ビットストリーム“Ｖ１−３”、第１チャンネルの第４ビットストリーム“Ｖ１−４”に続いて、次のＧＯＰ周期からは、第１チャンネルの第５ビットストリーム“Ｖ１−５”、第１チャンネルの第６ビットストリーム“Ｖ１−６”、第１チャンネルの第７ビットストリーム“Ｖ１−７”、第１チャンネルの第８ビットストリーム“Ｖ１−８”が配列される。
なお、各ビットストリームの時間的な長さは、圧縮率等の相違により、一般にはビットストリーム毎に異なっている。
以上説明したように、本発明の実施の形態においては、多重化されたＳＤＴＩフォーマットによりビデオデータと共に伝送されたデスティネーションアドレスを抽出し、複数のＳＤＴＩデコーダに対して、抽出したデスティネーションァドレスから適切なデスティネーションアドレスをそれぞれ設定するものである。
また、ビデオデータを送信するための送信側と、送信側から伝送されたビデオデータを受信するための受信側とを有して構成される伝送システムにおいて、上記送信側は上記ビデオデータを符号化し、符号化されたビデオデータをＮ倍速で再生する高速再生し、高速再生されたＮ倍速のビデオデータを、Ｎ倍速に対応するレートで伝送するために、所定のシリアル伝送用のフォーマットに変換するフォーマットし、フォーマット変換されたデータを、上記Ｎ倍速に対応するレートで伝送し、受信装側は、Ｎ倍速に対応するレートで伝送されたＮ倍速のビデオデータを受信する受信し、受信したＮ倍速のビデオデータをＮ倍速で記録するものである。
そして、データのＳＤＴＩフォーマットへの変換は、ヘッダデータを符号化されたビデオデータに付加し、タイミング信号を示すフラグデータを生成し、そのフラグデータを上記ビデオデータの上記ＥＡＶブロック及びＳＡＶブロックに付加するＣＲＣＣデータすることにより行われる。
上述のように、本発明に係るデータ受信装置は、入力データの全ての宛先アドレス情報を読み出す宛先情報読み出し手段と、所定の受信アドレスが設定され、入力データの内の当該設定された受信アドレスのデータを受信する受信手段と、宛先情報読み出し手段が読み出した宛先アドレス情報を基に受信手段に受信アドレスを設定するアドレス設定手段とを備えることで、宛先情報読み出し手段が読み出した宛先アドレス情報を基にアドレス設定手段により受信アドレスが設定された受信手段によって、宛先別のデータを自動受信することができる。
よって、データ受信装置は、入力データに付加されている宛先アドレス情報にあわせて受信手段の受信アドレスを適宜設定しているために、データが入力される前に予めデータの宛先別に受信手段を設定する必要がなくなる。
また、データ受信装置により、ユーザは、入力されるデータの宛先を意識することなく、各宛先毎にデータを受信し、例えば外部の機器に当該受信したデータを送信することができる。
本発明に係るデータ受信方法は、入力データの全ての宛先アドレス情報を読み出す宛先情報読み出し工程と、宛先情報読み出し工程で読み出した宛先アドレス情報を基に受信部の受信アドレスを設定するアドレス設定工程と、アドレス設定工程において所定の受信アドレスに設定された受信部によって、入力データの内の設定した受信アドレスのデータを受信する受信工程とを有することで、宛先情報読み出し工程において読み出した宛先アドレス情報を基にアドレス設定工程において受信アドレスが設定された受信手段によって受信工程において宛先別のデータを自動受信することができる。
よって、データ受信方法は、入力データに付加されている宛先アドレス情報にあわせて受信手段の受信アドレスを適宜設定しているために、データが入力される前に予めデータの宛先別に受信手段を設定する必要がなくなる。
また、データ受信方法により、ユーザは、入力されるデータの宛先を意識することなく、各宛先毎にデータを受信し、例えば外部の機器に当該受信したデータを送信することができる。
【図１】
0004703794.tif 000002
【図２】
0004703794.tif 000003
【図３】
0004703794.tif 000004
【図４】
0004703794.tif 000005
【図５】
0004703794.tif 000006
【図６】
0004703794.tif 000007
【図７】
0004703794.tif 000008
【図８】
0004703794.tif 000009
【図９】
0004703794.tif 000010
【図１０】
0004703794.tif 000011
【図１１】
0004703794.tif 000012
【図１２】
0004703794.tif 000013
【図１３】
0004703794.tif 000014
【図１４】
0004703794.tif 000015
【図１５】
0004703794.tif 000016
【図１６】
0004703794.tif 000017
【図１７】
0004703794.tif 000018
【図１８】
0004703794.tif 000019
【図１９】
0004703794.tif 000020
【図２０】
0004703794.tif 000021
【図２１】
0004703794.tif 000022
【図２２】
0004703794.tif 000023
【図２３】
0004703794.tif 000024
【図２４】
0004703794.tif 000025